(57)【要約】【課題】  特に一つのバックライトでメイン液晶パネルとサブ液晶パネルとを照明する表裏一体型のバックライトにおいては、液晶表示装置における輝度バラツキを解消することがきわめて困難であったことである。【解決手段】  一つのバックライトの一方の面で表示面積の比較的大きなメイン液晶パネルを照明し、他方の面で表示面積の比較的小さなサブ液晶パネルを照明するバックライトの導光板にプリズム状の凹凸を設け、前記サブ液晶パネルと前記メイン液晶パネルの双方を照明する部分の前記凹凸の深さ、もしくは頂角の角度、もしくはピッチ、もしくはこれら３要素の内少なくとも２つを他の部分と異ならせた。【選択図】        図５
2007225788.tif 000002
【特許請求の範囲】
【請求項１】
小型液晶表示装置のバックライトに用い端部に光源が設けられた導光板において、該導光板上にプリズム状の凹凸を設け、該凹凸の深さを前記光源から遠ざかるにしたがって深くしたことを特徴とするバックライト用導光板。
【請求項２】
小型液晶表示装置のバックライトに用い端部に光源が設けられた導光板において、該導光板上にプリズム状の凹凸を設け、該凹凸の頂角の角度を前記光源から遠ざかるにしたがって小さくしたことを特徴とするバックライト用導光板。
【請求項３】
小型液晶表示装置のバックライトに用い端部に光源が設けられた導光板において、該導光板上にプリズム状の凹凸を設け、該凹凸の深さを前記光源から遠ざかるにしたがって深くする手段と、該凹凸の頂角の角度を前記光源から遠ざかるにしたがって小さくする手段と、該凹凸のピッチを前記光源から遠ざかるにしたがって小さくする手段の３つの手段の内少なくとも２つを用いたことを特徴とするバックライト用導光板。
【請求項４】
一つのバックライトの一方の面で表示面積の比較的大きなメイン液晶パネルを照明し、他方の面で表示面積の比較的小さなサブ液晶パネルを照明するバックライトに用いる導光板において、該導光板上にプリズム状の凹凸を設け、前記サブ液晶パネルと前記メイン液晶パネルの双方を照明する部分においては、該凹凸の深さを他の部分よりも深くしたことを特徴とするバックライト用導光板。
【請求項５】
一つのバックライトの一方の面で表示面積の比較的大きなメイン液晶パネルを照明し、他方の面で表示面積の比較的小さなサブ液晶パネルを照明するバックライトに用いる導光板において、該導光板上にプリズム状の凹凸を設け、前記サブ液晶パネルと前記メイン液晶パネルの双方を照明する部分においては、該凹凸の頂角の角度を他の部分よりも小さくしたことを特徴とするバックライト用導光板。
【請求項６】
一つのバックライトの一方の面で表示面積の比較的大きなメイン液晶パネルを照明し、他方の面で表示面積の比較的小さなサブ液晶パネルを照明するバックライトに用いる導光板において、該導光板上にプリズム状の凹凸を設け、前記サブ液晶パネルと前記メイン液晶パネルの双方を照明する部分においては、該凹凸のピッチを他の部分よりも小さくしたことを特徴とするバックライト用導光板。
【請求項７】
一つのバックライトの一方の面で表示面積の比較的大きなメイン液晶パネルを照明し、他方の面で表示面積の比較的小さなサブ液晶パネルを照明するバックライトに用いる導光板において、該導光板上にプリズム状の凹凸を設け、前記サブ液晶パネルと前記メイン液晶パネルの双方を照明する部分においては、該凹凸の深さを他の部分よりも深くする手段と、該凹凸の頂角の角度を他の部分よりも小さくする手段と、該凹凸のピッチを他の部分よりも小さくする手段の３つの手段の内少なくとも２つを用いたことを特徴とするバックライト用導光板。
【請求項８】
前記凹凸の頂角の角度は９０度以上であることを特徴とする請求項１から７のうちの一項に記載のバックライト用導光板。
【請求項９】
請求項１から８のうちの一項に記載の導光板を用いたことを特徴とするバックライト。
【請求項１０】
請求項９に記載のバックライトを用いたことを特徴とする液晶表示装置。
【請求項１１】
前記液晶表示装置は前記導光板と前記メイン液晶パネルとの間にメイン液晶用プリズムシートが２枚、拡散シートが１枚設けられ、前記導光板と前記サブ液晶パネルとの間に半透過反射シートとサブ液晶用プリズムシートが２枚設けられていることを特徴とする液晶表示装置。
【請求項１２】
前記液晶表示装置はホルダーを有し、該ホルダーの前記メイン液晶パネル側は全面開口され、前記サブ液晶パネル側には該サブ液晶パネルとほぼ同じサイズの穴部が設けられ、該穴部に前記サブ液晶用プリズムシートが配置されていることを特徴とする請求項１１に記載の液晶表示装置。
【発明の詳細な説明】
【技術分野】
【０００１】
本発明は、携帯電話・ＰＤＡ等の小型液晶ディスプレイに用いられる導光板及び該導光板を用いた表裏一体型バックライト及び該バックライトを用いた液晶表示装置に関する。
【背景技術】
【０００２】
図９は従来の液晶パネル照明用バックライトの例を示した図である。
図９において、例えばＬＥＤから成る光源１４から出射された光６２，６４は導光板１２へ導かれる。該光６２，６４は導光板１２内で反射を繰り返して伝搬されるが、その際導光板の底に設けられた溝やシボによって反射もしくは屈折した光６２は導光板１２の上面から出射される。導光板から出射した光は拡散シート３８によって拡散され光分布が均一化された後プリズムシート４０，４２によって導光板１２に対して直交する方向に集光され、液晶パネル（以下ＬＣＤと略記する）４４へと向かいＬＣＤ４４を照明する。
【０００３】
一部の光６４は導光板１２の下面から出射されるが反射シート６０によって反射されて導光板１２内に戻され、以後光６２と同様に導光板１２の上面から出射されてＬＣＤを照明する。
【０００４】
拡散シート３８は光を拡散して光分布を均一化するため用いられているが、その効果は限定的であるため、導光板１２で光分布を均一化しさらに拡散シート３８で均一化の補完を行うことが必要である。
ところが導光板１２で光分布を均一化することは容易ではなかった。
この均一化技術に関連する技術として、液晶用バックライトの厚さを薄型化するため導光板上に特定の角度の凸条を設けて拡散板の使用枚数を２枚から１枚に減少させるという提案があり、その中に該凸条の配列ピッチを光源側で大きく、該光源から遠ざかるにしたがって小さくすることにより導光板の全域での明るさ分布を平均化できる、という記載がある（例えば特許文献１  ００１５  参照）。
【０００５】
しかしこの提案は大型液晶ディスプレイの薄型化を狙ったものであるためか、凸条の配列ピッチ変更のみで輝度分布の均一化を図っている。小型液晶パネル、特に表裏両面の液晶パネルを共通のバックライトユニットで照明するタイプの液晶表示装置においては、表裏両面に設けられた液晶パネルの大きさの違いによって大きな輝度ムラを生じてしまうため、凸条の配列ピッチ変更のみでは輝度の均一化が困難という問題があった。
【０００６】
また表裏一体型バックライトの一方の面側に半透過反射体を設け、該半透過反射体に入射した光の一部を反射させると共に、残部の光を透過させ、該バックライトユニットの両面に配置された液晶表示パネルの双方を照明するという提案がある（例えば特許文献２  ００１７−００２２  図１  参照）。
【０００７】
しかし、この提案では２つの液晶パネルのうち、例えば特許文献２の図１に示されているように、半透過反射体側に設けられた液晶パネルが反対側に設けられた液晶パネルよりも小さかった時大きな問題を生じる。すなわち、半透過反射体を透過した光のうち液晶パネルが存在しない部分の光は無駄になってしまい、バックライトの光利用効率を著しく低下させてしまうという問題がある。また液晶パネルが存在しない部分に反射体を設けて液晶パネルが存在しない部分の光を有効利用しようとすると、前記反対側に設けられた液晶パネルを照明する光が前記半透過反射体側に設けられた液晶パネルが存在する領域のみ弱くなってしまい、輝度ムラを生じてしまうという問題がある。
なお以下の図において、同様の部材には同様の番号を付している。
【０００８】
【特許文献１】特開２００４−６９８７９
【特許文献２】特開２００４−１４４９９０
【発明の開示】
【発明が解決しようとする課題】
【０００９】
解決しようとする課題は、小型の液晶装置を照明する装置において効率よく輝度分布を制御することが困難であったことと、特に一つのバックライトでメイン液晶パネルとサブ液晶パネルとを照明する表裏一体型のバックライトにおいては、液晶表示装置における輝度バラツキを解消することがきわめて困難であったことである。
【課題を解決するための手段】
【００１０】
本発明の端部に光源が設けられた導光板は、該導光板上にプリズム状の凹凸を設け、該凹凸の深さを前記光源から遠ざかるにしたがって深くしたことを特徴とする。
【００１１】
また、本発明の端部に光源が設けられた導光板は、該導光板上にプリズム状の凹凸を設け、該凹凸の頂角の角度を前記光源から遠ざかるにしたがって小さくしたことを特徴とする。
【００１２】
また、本発明の端部に光源が設けられた導光板は、該導光板上にプリズム状の凹凸を設け、該凹凸の深さを前記光源から遠ざかるにしたがって深くする手段と、該凹凸の頂角の角度を前記光源から遠ざかるにしたがって小さくする手段と、該凹凸のピッチを前記光源から遠ざかるにしたがって小さくする手段の３つの手段の内少なくとも２つを用いたことを特徴とする。
【００１３】
また、本発明の端部に光源が設けられた導光板は、一つのバックライトの一方の面で表示面積の比較的大きなメイン液晶パネルを照明し、他方の面で表示面積の比較的小さなサブ液晶パネルを照明し、該導光板上にプリズム状の凹凸を設け、前記サブ液晶パネルと前記メイン液晶パネルの双方を照明する部分においては、該凹凸の深さを他の部分よりも深くしたことを特徴とする。
【００１４】
また、本発明の端部に光源が設けられた導光板は、一つのバックライトの一方の面で表示面積の比較的大きなメイン液晶パネルを照明し、他方の面で表示面積の比較的小さなサブ液晶パネルを照明し、該導光板上にプリズム状の凹凸を設け、前記サブ液晶パネルと前記メイン液晶パネルの双方を照明する部分においては、該凹凸の頂角の角度を他の部分よりも小さくしたことを特徴とする。
【００１５】
また、本発明の端部に光源が設けられた導光板は、一つのバックライトの一方の面で表示面積の比較的大きなメイン液晶パネルを照明し、他方の面で表示面積の比較的小さなサブ液晶パネルを照明し、該導光板上にプリズム状の凹凸を設け、前記サブ液晶パネルと前記メイン液晶パネルの双方を照明する部分においては、該凹凸のピッチを他の部分よりも小さくしたことを特徴とする。
【００１６】
また、本発明の端部に光源が設けられた導光板は、  一つのバックライトの一方の面で表示面積の比較的大きなメイン液晶パネルを照明し、他方の面で表示面積の比較的小さなサブ液晶パネルを照明し、該導光板上にプリズム状の凹凸を設け、前記サブ液晶パネルと前記メイン液晶パネルの双方を照明する部分においては、該凹凸の深さを他の部分よりも深くする手段と、該凹凸の頂角の角度を他の部分よりも小さくする手段と、該凹凸のピッチを他の部分よりも小さくする手段の３つの手段の内少なくとも２つを用いたことを特徴とする。
【００１７】
また、本発明の端部に光源が設けられた導光板は、前記凹凸の頂角の角度が９０度以上であることを特徴とする。  
【００１８】
また、本発明のバックライトは上記導光板のいずれかを用いたことを特徴とする。
【００１９】
また、本発明の液晶表示装置は上記バックライトを用いたことを特徴とする。
【００２０】
また、本発明の液晶表示装置は、前記導光板と前記メイン液晶パネルとの間にメイン液晶用プリズムシートが２枚、拡散シートが１枚設けられ、前記導光板と前記サブ液晶パネルとの間に半透過反射シートとサブ液晶用プリズムシートが２枚設けられていることを特徴とする。
【００２１】
また、本発明の液晶表示装置は、ホルダーを有し、該ホルダーの前記メイン液晶パネル側は全面開口され、前記サブ液晶パネル側には該サブ液晶パネルとほぼ同じサイズの穴部が設けられ、該穴部に前記サブ液晶用プリズムシートが配置されていることを特徴とする。
【発明の効果】
【００２２】
本発明によれば小型の液晶装置を照明する装置においても効率よく輝度分布を制御出来、その結果光利用効率も上昇させることが出来る。また、特に一つのバックライトの一方の面で表示面積の比較的大きなメイン液晶パネルを照明し、他方の面で表示面積の比較的小さなサブ液晶パネルを照明する表裏一体型の液晶表示装置における輝度バラツキを解消出来る。
【発明を実施するための最良の形態】
【００２３】
端部に光源が設けられた導光板は、該導光板上にプリズム状の凹凸を設け、該凹凸の深さを前記光源から遠ざかるにしたがって深くする手段もしくは該凹凸の頂角の角度を前記光源から遠ざかるにしたがって小さくする手段もしくは該凹凸のピッチを前記光源から遠ざかるにしたがって小さくする手段もしくはそれらの手段の組み合わせを用いた。
【００２４】
また、一つのバックライトの一方の面で表示面積の比較的大きなメイン液晶パネルを照明し、他方の面で表示面積の比較的小さなサブ液晶パネルを照明するバックライトの導光板にプリズム状の凹凸を設け、前記サブ液晶パネルと前記メイン液晶パネルの双方を照明する部分の前記凹凸の深さ、もしくは頂角の角度、もしくはピッチ、もしくはこれら３要素の内少なくとも２つを他の部分と異ならせた。
【実施例１】
【００２５】
図１は本発明による導光板の第１の実施例である。
図１（ａ）は導光板１２に頂角の角度及び深さが等しいプリズム状の凹凸１６を設け、該凹凸１６のピッチを、光源１４近傍ではＰ１、光源１４から遠い所ではＰ２というように光源１４から遠ざかるにしたがって小さくした例で、特許文献１で述べられている提案と同様である。
【００２６】
ここで図２を用いてプリズム状の凹凸１６の説明を行う。
図２は導光板１２の表面に設けられたプリズム状の凹凸１６を拡大して示した図である。
図２においては凹凸が凹部として設けられている状態を示しており、βが凹凸の頂角である。導光板１２の中を右方から左方に向けて進んできた光は導光板の面１８と凹凸１６の辺２０がなす角度αが大きくなるほど、またプリズム状の凹凸１６の辺２０に照射される頻度が大きくなるほど、導光板１２の外部への出射量が大きくなる。従って頂角βを小さくするほど角度αも大きくなって外部への出射量は大きくなり、凹凸１６を設けるピッチを小さくするほど外部への出射量は大きくなり、凹凸１６の深さＤを大きくするほど外部への出射量は大きくなる関係にある。
また、各図で簡単のため頂角βを９０度以下で作図したが、実際の導光板１６を作製する上では該頂角βを９０度以上とすることが好ましい。
さらに、導光板の面１８の垂線２１と凹凸１６の辺２２がなす角度γは、導光板上に凹凸を形成する際の型抜きのため正の値となるようにする必要がある。
【００２７】
図３はプリズム状の凹凸１６を設けた導光板１２の出射する光の輝度分布を表した図で、縦軸が輝度、横軸が光源１４からの距離を示している。
線２４はプリズム状の凹凸が最適に設定された場合の輝度分布を示したもので、液晶ディスプレイの中央部が最も輝度が高く、周辺部になるにしたがって輝度が下がるように設定されている。
【００２８】
線２６は例えばプリズム状凹凸１６の前記した角度αを最適値よりも小さくなる方向に変化させた場合の輝度分布を示したもので、この場合はプリズム状凹凸部からの光出射量が小さくなり導光板１２中を伝搬していく光の量が増大するため、光源１４に近い方が暗く、遠い方が明るくなる。この状態はプリズム状凹凸１６のピッチを最適の場合よりも大きくした場合、プリズム状凹凸１６の深さを最適の場合よりも浅くした場合と等しい。
線２８は例えばプリズム状凹凸１６の前記した角度αを最適値よりも大きくなる方向に変化させた場合の輝度分布を示したもので、この場合はプリズム状凹凸１６部からの光出射量が大きくなり導光板１２中を伝搬していく光の量が減少するため、光源１４に近い方が明るく、遠い方が暗くなる。この状態はプリズム状凹凸１６のピッチを最適の場合よりも小さくした場合、プリズム状凹凸１６の深さを最適の場合よりも深くした場合と等しい。
【００２９】
図１に戻って、図１（ａ）においてはプリズム状凹凸１６のピッチを、光源１４近傍ではＰ１、光源１４から遠い所ではＰ２というように光源１４から遠ざかるにしたがって小さくしているため、導光板１２中を伝搬されている光のうち導光板１２外に出射される光の確率は、光源１４近傍では小さく、光源１４遠方では大きくなる。一方導光板１２中を伝搬されている光の量は光源１４から遠ざかるにしたがって少なくなるため定性的には図３の線２４に示したような輝度分布を設定することが可能となる。
しかしながら導光板製造上ではいろいろな制約事項があるため、プリズム状凹凸１６のピッチを変えるだけでは所望の輝度分布が得にくいという問題がある。
【００３０】
図１（ｂ）はプリズム状凹凸１６のピッチを図示のＰ１，Ｐ２のように一定とし、プリズム状凹凸１６の深さを、光源１４近傍ではＤ１、光源１４から遠い所ではＤ２というように光源１４から遠ざかるにしたがって深くした例である。図２（ｂ）においても導光板１２中を伝搬されている光のうち導光板１２外に出射される光の確率は、光源１４近傍では小さく、光源１４遠方では大きくなる。一方導光板１２中を伝搬されている光の量は光源１４から遠ざかるにしたがって少なくなるため定性的には図３の線２４に示したような輝度分布を設定することが可能となる。
【００３１】
図１（ｃ）はプリズム状凹凸１６のピッチを図示のＰ１，Ｐ２のように一定とし、プリズム状凹凸１６の深さ及び角度を、光源１４近傍ではＤ１、β１、光源１４から遠い所ではＤ２、β２というように光源１４から遠ざかるにしたがって深くかつ小さくした例である。図２（ｃ）においても導光板１２中を伝搬されている光のうち導光板１２外に出射される光の確率は、光源１４近傍では小さく、光源１４遠方では大きくなる。一方導光板１２中を伝搬されている光の量は光源１４から遠ざかるにしたがって少なくなるため図３の線２４に示したような輝度分布を設定することが可能となる。この例では２つの要素である凹凸１６の深さ及び角度の双方を変化させているためより効率的な輝度分布の制御が可能となっている。
【００３２】
図１（ｄ）はプリズム状凹凸１６のピッチ、深さ及び角度の３要素すべてを、光源１４近傍ではＰ１，Ｄ１、β１、光源１４から遠い所ではＰ２，Ｄ２、β２というように光源１４から遠ざかるにしたがって狭く、深くかつ小さくした例である。図２（ｄ）においても導光板１２中を伝搬されている光のうち導光板１２外に出射される光の確率は、光源１４近傍では小さく、光源１４遠方では大きくなる。一方導光板１２中を伝搬されている光の量は光源１４から遠ざかるに従って少なくなるため図３の線２４に示したような輝度分布を設定することが可能となる。この例では３つの要素である凹凸１６のピッチ深さ及び角度のすべてを変化させているため最も効率的な輝度分布の制御が可能となっている。
【００３３】
このようにプリズム状凹凸１６のピッチ、深さ及び角度の３要素を変化させる組み合わせは７通りになるが、図１では４通りのみを示している。図示されていない（ａ）プリズム状凹凸１６のピッチ及び深さを一定として頂角の角度を変化させる、（ｂ）プリズム状凹凸１６の深さを一定としてピッチ及び頂角の角度を変化させる、（ｃ）プリズム状凹凸１６の頂角の角度を一定としてピッチと深さを変化させる等の図示していない３つの方式も図１に示した各例と同様な効果を生じることはいうまでもない。
【００３４】
実際の導光板の製造にあたってはプリズム状凹凸のピッチ深さ及び角度が自由に選択出来ないという制約があり、輝度分布が設定しにくいという問題があった。本発明によれば輝度分布設定上の選択肢が増加するため容易に最適の輝度分布が設定出来るという効果がある。
なお図においてはプリズム状凹凸が凹部である例を説明したが、プリズム状凹凸が凸部で形成されていても同様の効果があることは勿論である。
【００３５】
また、光源１４から出射されて導光板１２に入った光の内導光板１２内を伝搬して光源１４と反対側に抜ける光が多くなると光利用効率が悪くなってしまうが、本発明によれば該反対側に抜ける光を最小に押さえるようプリズム状凹凸を設定出来るため高い光利用効率が得られるという効果もある。
さらに、本発明によればプリズム状凹凸の３つの要素を変えられるため、導光板の一部分の輝度を選択的に大きく変えることも出来る。
【実施例２】
【００３６】
図４〜８は本発明の第２の実施例を説明する図である。
図４は本発明の導光板及び該導光板を用いた表裏一体型バックライト及び該バックライトを用いた液晶表示装置の概要を説明する断面図で、メインＬＣＤ４４とサブＬＣＤ３６のように表裏に表示装置を有する液晶装置の構造を示している。
例えばＬＥＤから成る光源１４から出射された光４８，５０は導光板１２へ導かれる。該光４８，５０は導光板１２内で反射を繰り返して伝搬されるが、その際導光板の底に設けられたプリズム状凹凸によって反射もしくは屈折した光４８はプリズム状凹凸により持ち上げられ、臨界角度に達した時点で導光板の上面から出射される。導光板から上面に出射され光は拡散シート３８によって拡散され光分布が均一化された後メインＬＣＤ用プリズムシート４０，４２によって導光板１２に対して直交する方向に集光された光４８となってメインＬＣＤ４４へと向かい、メインＬＣＤ４４を照明する。
ここでメインＬＣＤ用プリズムシート４０，４２は図６に示すように、それぞれのプリズムの稜線が直交するように配置されている。
【００３７】
導光板１２の下方には図９の反射シート６０に変え半透過反射シート４６を設けてある。該半透過反射シート４６の下方には、光源１４、導光板１２、拡散シート３８、メインＬＣＤ用プリズムシート４０，４２、半透過反射シート４６等のバックライトを構成する部品全体を収納するホルダー３０が設けられ、該ホルダー３０のサブＬＣＤ３６に面する部分にはサブＬＣＤ３６とほぼ同じサイズの穴部７２が設けられ、該穴部７２にサブ液晶パネル用プリズムシート３２，３４が配置されている。なお、ホルダー３０のメインＬＣＤ４４側は全面開口されている。
【００３８】
光源１４から出射された光のうち光５０は導光板１２内で反射を繰り返して伝搬されるが導光板１２の下面から出射される。導光板１２の下面から出射された光は半透過反射シート４６で透過光５２と反射光５４とに分かれ、反射光５４は導光板１２に戻され、透過光５２はサブＬＣＤ用プリズムシート３２，３４で導光板１２に対して直交する方向に集光されサブＬＣＤ３６を照明する。
ここでサブＬＣＤ用プリズムシート３２，３４もメイン液晶パネル用プリズムシート４０，４２と同様にそれぞれのプリズムの稜線が直交するように配置されている。
なお、ホルダー３０の少なくとも上面は光反射率の高い面となっており、穴部７２以外では半透過反射シート４６を透過した光を反射して半透過反射シート４６を介して導光板１２に戻している。
【００３９】
図７は図４に示した表裏一体型バックライトの輝度分布を表した図で、縦軸が輝度、横軸が光源１４からの距離を示している。
線２４は図３の線２４と同様、プリズム状の凹凸が最適に設定された場合の輝度分布を示したものであるが、ホルダー３０に穴部７２が設けられ、穴部７２以外では半透過反射シート４６を透過した光が反射され、穴部７２では透過する結果、従来の導光板を用いると穴部７２の領域Ｌ１では線５６で示すように輝度が低下して輝度ムラになってしまうという問題がある。
そのため、穴部７２が存在しない場合は穴部７２の存在する領域Ｌ１が線５８に示すように輝度が高い導光板を作れば、穴部７２を有するホルダーに用いた時輝度分布が線２４に示したような最適な分布とすることが出来る。
このようにサブＬＣＤ３６部分のホルダー３０に穴を空けた部分に起こる背面への光の透過量を想定して、その部分Ｌ１の輝度分布を上昇させておくことで輝度ムラの解消が可能になる。
【００４０】
図５は本発明による導光板の第２の実施例である。
図５（ａ）において、導光板１２の下面にはプリズム状の凹凸１６，１７が設けられており、サブＬＣＤとメインＬＣＤの双方を照明する部分Ｌ１におけるプリズム状の凹凸１７の深さＤ２は他の部分におけるプリズム状の凹凸１６の深さＤ１よりも深く設定されている。
また、図５（ｂ）において、導光板１２の下面にはプリズム状の凹凸１６，１７が設けられており、サブＬＣＤとメインＬＣＤの双方を照明する部分Ｌ１におけるプリズム状の凹凸１７のピッチＰ２は他の部分におけるプリズム状の凹凸１６のピッチＰ１よりも小さく設定されている。
このように設定されたことによりサブＬＣＤとメインＬＣＤの双方を照明する部分Ｌ１での導光板１２からの出射光量は他の部分よりも大きくなる。従って、Ｌ１の部分でサブＬＣＤとメインＬＣＤの双方を照明してもメインＬＣＤ側の輝度分布を図７の線２４で示したような最適分布とすることが出来る。
【００４１】
なお、図５においてはＬ１の部分のプリズム状の凹凸１７の形状を、他の部分よりも深く設定する例とピッチを小さく設定する例とを示したが、図１で説明したのと同様にプリズム状の凹凸のピッチを小さくする、深さを深くする、頂角の角度を小さくする等の３要素のうちの１要素、もしくは２要素の組み合わせ、もしくは３要素すべてを用いてＬ１の部分の出射光量を他の部分よりも大きくすることが出来る。
また、サブＬＣＤは光源に近い方に配置しても、光源から遠い方に配置してもどちらも選択し得る。
さらに、図５においても図１で説明したように、Ｌ１部その他の部分共、光源１４から遠ざかるにしたがって上記した３要素を変化させ最適の輝度勾配を設定することが好ましい。このように設定した場合もＬ１の部分においては他の部分と前記３要素のうち少なくとも１つを異ならせ照明光の出射光量を増大させることが本発明の特徴である。
また、本明細書においては、図４の構成からメインＬＣＤ４４とサブＬＣＤ３６を除去したものをバックライト、図４の構成すべてを液晶表示装置としている。
【００４２】
図８はホルダー３０を有するバックライト装置の斜視図で、図８（ａ）はバックライトを上方から見た斜視図、図８（ｂ）は下方から見た斜視図である。
図８（ａ）に示すようにホルダー３０のメインＬＣＤ側は全面開口され、開口部７０からはメインＬＣＤ用プリズムシート４２が見えている。
図８（ｂ）に示すようにホルダー３０のサブＬＣＤ側にはサブＬＣＤとほぼ同じサイズの穴部７２が設けられ、該穴部７２からはサブＬＣＤ用プリズムシート３４が見えている。
このようにホルダー３０にサブＬＣＤ用の穴部７２を設け、該穴部７２にサブＬＣＤ用プリズムシート３２，３４を配置したため、厚さの増加がない表裏一体型バックライトが実現出来た。
【図面の簡単な説明】
【００４３】
【図１】本発明による導光板の第１の実施例である。
【図２】導光板の表面に設けられたプリズム状の凹凸を拡大して示した図である。
【図３】導光板の出射する光の輝度分布を表した図である。
【図４】本発明の第２の実施例で、導光板及び該導光板を用いた表裏一体型バックライト及び該バックライトを用いた液晶表示装置の概要を説明する断面図である。
【図５】本発明による導光板の第２の実施例である。
【図６】本発明で用いられるプリズムシートの配置状態を説明する図である。
【図７】表裏一体型バックライトの輝度分布を説明した図である。
【図８】ホルダー３０を有するバックライト装置の斜視図である。
【図９】従来の液晶パネル照明用バックライトの例を示した図である。
【符号の説明】
【００４４】
１４  光源
１２  導光板
１６、１７  プリズム状の凹凸
Ｄ，Ｄ１，Ｄ２  凹凸の深さ
β、β１，β２  凹凸の頂角の角度
Ｐ１，Ｐ２  凹凸のピッチ
４４  メイン液晶パネル
３６  サブ液晶パネル
Ｌ１  サブ液晶パネルとメイン液晶パネルの双方を照明する部分
４０，４２  メイン液晶用プリズムシート
３８  拡散シート
４６  半透過反射シート
３２，３４  サブ液晶用プリズムシート
３０  ホルダー
７０  全面開口部
７２  穴部
【図１】
2007225788.tif 000003
【図２】
2007225788.tif 000004
【図３】
2007225788.tif 000005
【図４】
2007225788.tif 000006
【図５】
2007225788.tif 000007
【図６】
2007225788.tif 000008
【図７】
2007225788.tif 000009
【図８】
2007225788.tif 000010
【図９】
2007225788.tif 000011